【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
雄端子と嵌合される雌端子であって、
上下方向に対向する天井壁と底壁とを有し、前記雄端子が挿入され、前後方向に開口する箱状の雌側本体部と、
前記雌側本体部の前記天井壁と前記底壁との間に設けられ、前記雄端子に前記天井壁側から接触して接圧を付与する第一接圧付与部と、
前記第一接圧付与部と上下方向に対向する位置に設けられ、前記雄端子に前記底壁側から接触して接圧を付与する第二接圧付与部とを備え、
前記第一接圧付与部と前記雄端子とが接触する第一接点部と、前記第二接圧付与部と前記雄端子とが接触する第二接点部とは、前後方向でずれて配されており、
前記第一接圧付与部によって前記雄端子に付与される接圧は、前記第二接圧付与部によって前記雄端子に付与される接圧より低くなっている雌端子。
【請求項２】
前記第一接圧付与部及び前記第二接圧付与部は、前記雄端子の挿入方向と交差する方向に２つ配されており、
隣り合う前記第一接圧付与部の間に設けられ、前記雄端子に前記天井壁側から接触して接圧を付与する第三接圧付与部と、
前記第三接圧付与部と上下方向に対向する位置に設けられ、前記雄端子に前記底壁側から接触して接圧を付与する第四接圧付与部とを備え、
前記第三接圧付与部と前記雄端子とが接触する第三接点部と、前記第四接圧付与部と前記雄端子とが接触する第四接点部とは、前後方向でずれて配されており、
前記第三接圧付与部によって前記雄端子に付与される接圧は、前記第四接圧付与部によって前記雄端子に付与される接圧より高くなっている請求項１に記載の雌端子。
【請求項３】
前記第二接圧付与部は、前記第二接点部から前記底壁に向けて垂直に延びる第二垂直片を備え、
前記雄端子の挿入により、前記第二垂直片の端面が、前記底壁に当接する請求項１又は請求項２に記載の雌端子。
【請求項４】
前記第一接圧付与部は、前記雄端子の挿入方向と交差する方向に２つ配されており、
隣り合う前記第一接圧付与部の間には、前記雄端子に前記天井壁側から接触して接圧を付与する第三接圧付与部が設けられており、
前記第三接圧付与部は、前記雄端子と接触する第三接点部から前記天井壁に向けて垂直に延びる第三垂直片を備え、
前記雄端子の挿入により、前記第三垂直片の端面が、前記天井壁に当接する請求項１から請求項３のいずれか一項に記載の雌端子。
【手続補正２】
【補正対象書類名】明細書
【補正対象項目名】００１８
【補正方法】変更
【補正の内容】
【００１８】
第三接圧付与部４０は、図２及び図４に示すように、２つの第一接圧付与部２０の間に配されている。第三接圧付与部４０は、図示しない雄端子と接触する第三接点部４１と、第三接点部４１から天井壁１２側の第一基端部１３に向けて傾斜する第三傾斜部４２と、第三接点部４１から天井壁１２に向けて垂直に延びる第三垂直片４３とを備えている。第三接点部４１は、低接圧を付与する第一接圧付与部２０の第一接点部２１より前方に設けられている。第三垂直片４３の端面４４と天井壁１２とは当接していないが、図示しない雄端子が雌側本体部１１の内部に挿入されると、端面４４と天井壁１２とは当接される。端面４４が天井壁１２に当接した状態で、さらに雄端子を雌側本体部１１の内部に挿入すると、第三垂直片４３は雄端子により天井壁１２に抑えつけられることとなる。しかし、第三接点部４１から天井壁１２に向けて垂直に延びているため、第三接圧付与部４０が撓むことはほとんどない。そのため、第三接圧付与部４０が雄端子に付与する接圧は高接圧となる。
【手続補正３】
【補正対象書類名】明細書
【補正対象項目名】００２０
【補正方法】変更
【補正の内容】
【００２０】
２つの第二接圧付与部３０は、図２、図５、図７に示すように、第一接圧付与部２０と上下方向に対向する位置に設けられている。また、２つの第二接圧付与部３０は、図５に示すように、図示しない雄端子と接触する第二接点部３１と、第二接点部３１から底壁１５に連なる第二基端部１６に向けて傾斜する第二傾斜部３２と、第二接点部３１から底壁１５に向けて垂直に延びる第二垂直片３３とを備えている。第二垂直片３３の端面３４と底壁１５とは当接していないが、図示しない雄端子が雌側本体部１１の内部に挿入されると、端面３４と底壁１５とは当接される。第二基端部１６は、底壁１５の前端縁から雌側本体部１１の内方に折り返された形状をなしている。第二接点部３１は、後述する第四接点部５１より前方に設けられている。このように、第二接圧付与部３０は、第三接圧付与部４０と同様の形状をなしており、雄端子に対して高接圧を付与することができる。
【手続補正４】
【補正対象書類名】明細書
【補正対象項目名】００２８
【補正方法】変更
【補正の内容】
【００２８】
雄端子を雌側本体部１１の内部から抜く場合においても、上述の雄端子の挿入時と同様、低接圧を付与する第一接圧付与部２０の第一接点部２１及び第四接圧付与部５０の第四接点部５１ではメッキは摩耗しない。また、高接圧を付与する第二接圧付与部３０の第二接点部３１及び第三接圧付与部４０の第三接点部４１ではメッキは摩耗する。従って、高接圧を付与する第二接圧付与部３０及び第三接圧付与部４０と雄端子との摺動によるメッキの摩耗を許容したとしても、低接圧を付与する第一接圧付与部２０及び第四接圧付与部５０と雄端子との摺動によるメッキの摩耗を防ぐことができる。
【手続補正５】
【補正対象書類名】明細書
【補正対象項目名】００２９
【補正方法】変更
【補正の内容】
【００２９】
以上のように本実施形態によれば、雌側本体部１１の内部の底壁１５側から第二接圧付与部３０により雄端子に付与される接圧を高接圧とし、雌側本体部１１の内部の天井壁１２側から第一接圧付与部２０により雄端子に付与される接圧を低接圧とすることができる。
ここで、高接圧とは、嵌合された雄端子及び雌端子１０に振動等が加えられた際、雌端子１０と雄端子との接点部において、電気的接続が途切れない程度の接圧である。このような高接圧が雄端子に付与された状態で、雄端子を雌端子１０に挿抜すると、雄端子と雌端子１０との接点部に施されたメッキは摩耗する。一方、低接圧とは、高接圧より低い接圧であって、雄端子を雌端子１０に挿抜しても、雄端子と雌端子１０の接点部において、雌端子１０に施されたメッキが摩耗しない程度の接圧である。
このようにすることで、高接圧の第二接圧付与部３０と雄端子とが接触する第二接点部３１では、雌端子１０に施されたメッキは摩耗することとなるが、振動等の影響を受けにくくなり、雄雌両端子間の接続不良が生じにくくなる。一方、低接圧の第一接圧付与部２０と雄端子とが接触する第一接点部２１では、雌端子１０に施されたメッキの摩耗を防ぐことができるため、雄端子の多挿抜によるメッキの摩耗を防ぎつつ導通を確保することができる。従って、高接圧の第二接圧付与部３０ではメッキの摩耗を許容しつつも端子同士の接続信頼性が確保され、さらに低接圧の第一接圧付与部２０ではメッキの摩耗が防止され、雄端子の雌端子１０への多挿抜によっても導通が確保される。
【手続補正６】
【補正対象書類名】明細書
【補正対象項目名】００３１
【補正方法】変更
【補正の内容】
【００３１】
また、雄端子が雌側本体部１１の内部に挿入されると、雄端子と接する第二接圧付与部３０の第二接点部３１は、底壁１５に向けて変位する。それに伴い、第二接圧付与部３０の第二垂直片３３も底壁１５に向けて変位し、第二垂直片３３の端面３４は底壁１５に当接する。しかし、第二垂直片３３は、第二接点部３１から底壁１５に向けて垂直に延びているため、ほとんど撓まないことから、第二垂直片３３が底壁１５に当接すると、第二接点部３１は、底壁１５に向けてほとんど変位しない。従って、第二接圧付与部３０は雄端子に対して高い接圧を付与することができる。